(57)【特許請求の範囲】
【請求項１】
ねじが設けられた少なくとも一対の垂直軸と、各垂直軸に螺合され該垂直軸の回転で上下動する足と、操作レバーと、該操作レバーと前記垂直軸との間に介在し、該操作レバーの往復動を前記各垂直軸の回転運動に同等量宛変換する変換機構とを具備し、操作レバーの操作で前記垂直軸に回転が与えられ各足が上下に同等量宛調整され、この足に支持された棚板が上下に調整されることを特徴とする上昇下降可能な棚。
【請求項２】
ねじが設けられた垂直軸に、該垂直軸の回転で上下動する足が螺合されて設けられ、また、前記垂直軸にはギアが固設され、操作レバーに、その操作で正逆回動する梃子が連結され、その梃子の先端に、梃子の正逆回動で進退するラックギアを係合させ、そのラックギアに前記垂直軸に固設されたギアが噛合され、操作レバーの操作で垂直軸に回転が与えられることにより各足が上下に同等量宛調整され、この足に支持された棚板が上下に調整されることを特徴とする請求項１記載の上昇下降可能な棚。
【請求項３】
ねじが設けられた垂直軸に、該垂直軸の回転で上下動する足が螺合されて設けられ、また、前記垂直軸にはギアが固設され、このギアには操作レバーのラックギアが歯車伝動機構を介して連結され、操作レバーの操作で垂直軸に回転が与えられることにより各足が上下に同等量宛調整され、この足に支持された棚板が上下に調整されることを特徴とする請求項１記載の上昇下降可能な棚。
【請求項４】
ねじが設けられた垂直軸に、該垂直軸の回転で上下動する足が螺合されて設けられ、前記垂直軸にはギアが固設され、このギアには、操作レバーで駆動するワイヤが巻回されたワイヤ巻付け胴を同心的に具備するギアが伝動機構を介して連結され、操作レバーの操作で垂直軸に回転が与えられることにより各足が上下に同等量宛調整され、この足に支持された棚板が上下に調整されることを特徴とする請求項１記載の上昇下降可能な棚。
【発明の詳細な説明】
【０００１】
【発明の属する技術分野】
本発明は、上下調整可能な棚に関し、特に台所等の吊戸棚・食器棚・冷蔵庫の棚・倉庫棚等や、テーブル・椅子・踏台等に適用して好ましいものである。すなわち、本発明は、台所等の吊戸棚・食器棚・冷蔵庫の棚、倉庫棚等にて、既に置かれている物と高さの異なる物を置く場合に、効率良くスペースを使うためや、テーブル・椅子・踏台等、素早く高さ位置の変更が出来る方法として用いられる。
【０００２】
【従来の技術】
例えば冷蔵庫では、奥行きの中間に梁を配しウォーム・ホイールにてウォームを回すことによって棚板を上下させていたし、テーブル・椅子等ではロック機構を解除し台を直接手で上下させる方法にて行なわれていた。例えば、螺子を緩め、上下を調整して螺子を締め付ける方法である。
【０００３】
【発明が解決しようとする課題】
ウォームを回すのでは時間がかかるし、空気バネ利用の方式では踏台として使った場合に回転してしまって危険性が有った。ロック機構を解除する方法では、台が重い時ロックを外した瞬間に台が下がり危険を伴うし、又、ロック解除・台の上下の２動作となり操作が繁雑で所定の位置にセットし難い等の難点が有った。
【０００４】
【課題を解決するための手段】
前記課題を達成するため、本発明の請求項１の上昇下降可能な棚は、ねじが設けられた少なくとも一対の垂直軸と、各垂直軸に螺合され該垂直軸の回転で上下動する足と、操作レバーと、該操作レバーと前記垂直軸との間に介在し、該操作レバーの往復動を前記各垂直軸の回転運動に同等量宛変換する変換機構とを具備し、操作レバーの操作で前記垂直軸に回転が与えられ各足が上下に同等量宛調整され、この足に支持された棚板が上下に調整されることを特徴とする。
【０００５】
また、本発明の請求項２の上昇下降可能な棚は、ねじが設けられた垂直軸に、該垂直軸の回転で上下動する足が螺合されて設けられ、また、前記垂直軸にはギアが固設され、操作レバーに、その操作で正逆回動する梃子が連結され、その梃子の先端に、梃子の正逆回動で進退するラックギアを係合させ、そのラックギアに前記垂直軸に固設されたギアが噛合され、操作レバーの操作で垂直軸に回転が与えられることにより各足が上下に同等量宛調整され、この足に支持された棚板が上下に調整されることを特徴とする。
【０００６】
また、本発明の請求項３の上昇下降可能な棚は、ねじが設けられた垂直軸に、該垂直軸の回転で上下動する足が螺合されて設けられ、また、前記垂直軸にはギアが固設され、このギアには操作レバーのラックギアが歯車伝動機構を介して連結され、操作レバーの操作で垂直軸に回転が与えられることにより各足が上下に同等量宛調整され、この足に支持された棚板が上下に調整されることを特徴とする。
【０００７】
また、本発明の請求項４の上昇下降可能な棚は、ねじが設けられた垂直軸に、該垂直軸の回転で上下動する足が螺合されて設けられ、前記垂直軸にはギアが固設され、このギアには、操作レバーで駆動するワイヤが巻回されたワイヤ巻付け胴を同心的に具備するギアが伝動機構を介して連結され、操作レバーの操作で垂直軸に回転が与えられることにより各足が上下に同等量宛調整され、この足に支持された棚板が上下に調整されることを特徴とする。
【０００８】
【発明の実施の形態】
以下、本発明の実施の形態を図面を参照して詳細に説明する。図１および図２は、本発明の第１の実施の形態を示す一部破断平面図及び正面図である。同図において、操作レバー２１は棚板７の回転支点２２に回転自在に取り付けられており、取手部２１ａを持って正逆回動させることができる。梃子２３は、その略中央に固設されたピン２３ａが操作レバー２１の円弧状の長孔２１ｃに挿入されて回動自在となっており、また、前記ピン２３ａより外側位置の梃子２３にはピン２３ｂが固設され、このピン２３ｂが操作レバー２１の突片２１ｂの長孔２１ｆに係合されており、操作レバー２１を操作することによって梃子２３を正逆回動させることができるようになっている。例えば、操作レバー２１を２１’の位置に動かすと、梃子２３は２３’の位置に移動する。
【０００９】
前記梃子２３の先端には、ラックギア２４が係合されており、梃子２３の移動で進退する。このラックギア２４は、垂直軸としての軸１に固着されたギア２５に噛合されており、ラックギア２４の進退運動でギア２５を介して軸１が正逆回転される。すなわち、操作レバー２１の操作で梃子２３を介してラックギア２４を進退させギア２５を介して軸１を回転させることができる。例えば、操作レバー２１を２１’の位置に動かすと、梃子２３は２３’の位置に移動し、ラックギア２４も２４’の位置に移動しギア２５を介して軸１が回転する。軸１が回転すると、その軸１に螺合され、かつ回転不可で上下移動自由となっている足２は、上下に移動する。従って、この軸１の回転で図２に示すように足２が、例えば、２から２’の位置に移動し、棚板７の高さを調整できる。
【００１０】
前記操作レバー２１には、図２に示すように爪２１ｄが設けられ、これがラチェット歯２６に係止することによって位置の保持が可能となっている。
【００１１】
図３は本発明の第２の実施の形態を示す一部破断平面図である。本例は操作レバー２１のギア２１ｅと梃子２３の突片２３ｃのギア２３ｄとが噛合されており、操作レバー２１の操作で梃子２３を正逆回動させるようになっているものであり、他は前記実施の形態と同様であるので、同一構成要素には同一符号を付して詳細な説明は省略する。本例によれば、操作レバー２１の移動量は大きくなるが、操作力は小さくて済む。
【００１２】
図４は本発明の第３の実施の形態を示す一部破断平面図である。本例はラックギア３１が取手部３１ａで往復動可能に設けられており、このラックギア３１と軸１のギア２５との間に歯車３２、３３、３４、３５で構成する伝動機構が介在され、ラックギア３１の往復動で軸１を正逆回転するようになっているものであり、他は前記実施の形態と同様であるので、同一構成要素には同一符号を付して詳細な説明は省略する。本例は、取手部３１ａの出っ張り量がどの位置でも同じ効果がある。
【００１３】
図５及び図６は本発明の第４の実施の形態を示す平面図及び断面側面図である。  本例はガイドプーリ４２に懸回されたワイヤ４１が、ギア４３のワイヤ巻付け胴４４に巻回されており、前記ワイヤ４１には取手４１ａが設けられ、この取手４１ａでワイヤ４１を移動されるとワイヤ巻付け胴４４を介してギア４３が回動されるようになっている。前記ギア４３と軸１のギア２５とは、歯車４５及びウォームギア４６の伝動機構を介して連結され、ギア４３の回動が軸１のギア２５に伝動されるようになっている。従って取手４１ａでワイヤ４１を移動させることによって軸１を回転させ、足２を上下に移動させることができる。
本例はワイヤ４１をギア４３と一体である小径のワイヤ巻付け胴４４に巻付けてギア４３を回転させるようにしたので、増速比を大きくとれ、軸１の螺旋角度（ピッチ角）を小さくできる。これにより棚板７に重量がかかっても棚板７が戻ることがなく、別に位置保持手段を必要としない。
【００１４】
【発明の効果】
以上詳細に説明した通り、本発明にかかる上昇下降可能な棚によれば、次のような効果を奏する。
（１）  操作レバーの直線操作で、棚を上下に容易に調整して、棚の間隔や高さを容易に調節できる。また、棚の上に物が載置された状態でも容易に間隔や高さの調整が可能である。
（２）  直接操作なので操作を素早く行うことができるし、構造も簡単で操作は軽く行うことができる。
【００１５】
（３）  構造が簡単なので安価に提供できる。
（４）  ワイヤを使用する場合は、棚の外周に配することができ、操作距離を大きく取れる。
【００１６】
（５）  別部材としての梁を使用しないので上下動用のスペースが少なくて済む。
【図面の簡単な説明】
【図１】  本発明の第１の実施の形態を示す一部破断平面図である。
【図２】  本発明の第１の実施の形態を示す正面図である。
【図３】  本発明の第２の実施の形態を示す一部破断平面図である。
【図４】  本発明の第３の実施の形態を示す一部破断平面図である。
【図５】  本発明の第４の実施の形態を示す平面図である。
【図６】  本発明の第４の実施の形態を示す断面側面図である。
【符号の説明】
１  軸
１ａ  螺旋溝（ねじ）
２  足
１１  スプロケット
２１  操作レバー
２１ａ  取手部
２１ｅ  ギア
２３  梃子
２３ｄ  ギア
２４  ラックギア
２５  ギア
３１  ラックギア
３２、３３、３４、３５  歯車
４１  ワイヤ
４３  ギア
４４  ワイヤ巻付け胴
【図１】
0004270479.tif 000002
【図２】
0004270479.tif 000003
【図３】
0004270479.tif 000004
【図４】
0004270479.tif 000005
【図５】
0004270479.tif 000006
【図６】
0004270479.tif 000007